(57)【要約】【課題】記録媒体の突起部を除去することができる技術を提供する。【解決手段】両端にバリを有する用紙Ｐが搬送されるのを案内する用紙搬送路４１０と、用紙搬送路４１０に対向する位置に設けられ、用紙Ｐの両端を用紙搬送路４１０に押し付ける押し付け部材８１０と、用紙搬送路４１０に向けて押し付け部材８１０を移動させる押し付け機構８２０と、用紙搬送方向において押し付け部材８１０より下流側に設け、用紙Ｐに付着した紙粉を除去する紙粉除去装置９００とを備える。【選択図】図２
2009113948.tif 000002
【特許請求の範囲】
【請求項１】
両端に突起部を有する記録媒体が搬送されるのを案内する案内手段と、
前記案内手段に対向する位置に設けられ、前記記録媒体の両端を前記案内手段に押し付ける押し付け手段と、
前記案内手段に向けて前記押し付け手段を移動させる移動手段と
を備えることを特徴とする搬送装置。
【請求項２】
大きさが異なる前記記録媒体の両端に対応する位置に、複数の前記押し付け手段を設けることを特徴とする請求項１に記載の搬送装置。
【請求項３】
前記記録媒体の搬送方向において前記押し付け手段より下流側に設け、前記記録媒体に付着した紙粉を除去する除去手段を備えることを特徴とする請求項１または２に記載の搬送装置。
【請求項４】
請求項１〜３のいずれか一項に記載の搬送装置を備えることを特徴とする画像形成装置。
【請求項５】
前記押し付け手段を共通走行経路に設けることを特徴とする請求項４に記載の画像形成装置。
【発明の詳細な説明】
【技術分野】
【０００１】
本発明は、搬送装置および画像形成装置に関する。
【背景技術】
【０００２】
従来の搬送装置は、搬送路で用紙を案内しながら搬送ロール対で用紙を搬送している。このような搬送装置は、画像形成装置などに備えられている。従来の画像形成装置は、光学的に潜像が形成された感光体ドラムにトナー像を形成し、そのトナー像を転写ベルトに一次転写し、搬送装置により搬送された用紙に一次転写された一次転写像を転写ベルトから二次転写する。そして、用紙を定着装置に設けられているロールで挟み込むことにより、二次転写された二次転写像を用紙に定着させるものである。
【０００３】
近年、画像形成装置の高速出力化やカラー化に伴い、定着装置に設けられているロールの軟化や定着装置に設けられているロールの圧力増加の傾向がある。そのため、用紙によるロールの傷や摩耗が発生することがある。このような背景のもと、ロールの傷や摩耗を低減する技術として、例えば特許文献１〜３がある。
【０００４】
特許文献１に記載の発明は、用紙の搬送方向と直行する方向に用紙を所定の移動量だけ移動させ、且つその用紙の移動量に合わせて一次転写像も移動させて用紙に二次転写する。特許文献１に記載の発明では、二次転写後の用紙を所定の移動量だけ移動させた状態で定着装置に搬送し、二次転写像を用紙に定着させる。これにより、用紙が定着装置に設けられているロールの特定の通過位置を通過することを防止している。
【０００５】
特許文献２に記載の発明は、定着装置に設けられているロールの回転軸を用紙の搬送方向に対して傾斜するように配置している。特許文献２に記載の発明では、搬送される用紙の端が定着装置に設けられているロールの広い範囲に接触する。これにより、用紙の端がロールの特定の部分に集中して接触するのを防止している。
【０００６】
特許文献３に記載の発明は、搬送される用紙の幅方向に、定着装置に設けられているロールを移動させる移動手段を設けている。特許文献３に記載の発明では、搬送される用紙の幅方向にロールを移動させている。これにより、用紙が定着ロールの特定の通過位置を通過することを防止している。
【特許文献１】特開２００３−１３１５２５
【特許文献２】特開２００６−０７２２０２
【特許文献３】特開２００５−３５１９３９
【発明の開示】
【発明が解決しようとする課題】
【０００７】
本発明は、記録媒体の突起部を除去することができる技術を提供することを目的とする。
【課題を解決するための手段】
【０００８】
請求項１に記載の発明は、両端に突起部を有する記録媒体が搬送されるのを案内する案内手段と、前記案内手段に対向する位置に設けられ、前記記録媒体の両端を前記案内手段に押し付ける押し付け手段と、前記案内手段に向けて前記押し付け手段を移動させる移動手段とを備えることを特徴とする搬送装置である。
【０００９】
請求項２に記載の発明は、請求項１に記載の発明において、大きさが異なる前記記録媒体の両端に対応する位置に、複数の前記押し付け手段を設けることを特徴とする。
【００１０】
請求項３に記載の発明は、請求項１または２に記載の発明において、前記記録媒体の搬送方向において前記押し付け手段より下流側に設け、前記記録媒体に付着した紙粉を除去する除去手段を備えることを特徴とする。
【００１１】
請求項４に記載の発明は、請求項１〜３のいずれか一項に記載の搬送装置を備えることを特徴とする画像形成装置である。
【００１２】
請求項５に記載の発明は、請求項４に記載の発明において、前記押し付け手段を共通走行経路に設けることを特徴とする。
【発明の効果】
【００１３】
請求項１に記載の発明によれば、記録媒体の突起部を除去することができる。
【００１４】
請求項２に記載の発明によれば、記録媒体の大きさが異なる場合でも、大きさが異なるそれぞれの記録媒体の突起部を除去することができる。
【００１５】
請求項３に記載の発明によれば、記録媒体を掃除することができる。
【００１６】
請求項４に記載の発明によれば、記録媒体の突起部を除去することができる。
【００１７】
請求項５に記載の発明によれば、記録媒体の片面だけを案内手段に押し付ける場合に比べて、記録媒体の突起部をより除去することができる。
【発明を実施するための最良の形態】
【００１８】
（１）第１の実施形態
以下、本発明の一実施形態について図面を参照して説明する。図１は、本発明の一実施形態に係るカラープリンタの概略図である。
【００１９】
（カラープリンタの構成）
図１において、符号１は、カラープリンタ（画像形成装置）である。カラープリンタ１は、画像形成ユニット１０Ｃ，１０Ｍ，１０Ｙ，１０Ｋと、制御部２０と、一次転写装置２００と、給紙装置３００と、用紙搬送装置（搬送装置）４００と、二次転写装置５００と、定着装置６００と、反転搬送装置７００と、用紙押し付け装置８００と、紙粉除去装置（除去手段）９００とを備えている。カラープリンタ１は、シアン（Ｃ）、マゼンタ（Ｍ）、イエロー（Ｙ）、ブラック（Ｋ）の４色の色成分の重ね合わせた画像を用紙（記録媒体）Ｐに印刷する。ここで、用紙Ｐの種類としては、塗工紙や厚紙などがある。
【００２０】
カラープリンタ１は、Ｃ，Ｍ，Ｙ，Ｋの各色ごとに、画像形成ユニット１０Ｃ，１０Ｍ，１０Ｙ，１０Ｋを、一次転写装置２００に沿って間隔をおいて横並びに配列している。カラープリンタ１は、パーソナルコンピュータや画像読取装置などの図示省略した画像出力装置から所定の通信回線を経て画像データが制御部２０に供給される。制御部２０は、供給された画像データに基づき、各画像形成ユニット１０Ｃ，１０Ｍ，１０Ｙ，１０Ｋに画像形成の制御指令を発する。また、制御部２０は、この画像形成動作を含めてカラープリンタ１全体の動作を制御する。
【００２１】
画像形成ユニット１０Ｃ，１０Ｍ，１０Ｙ，１０Ｋは、制御部２０から供給される画像データに応じてレーザ光を走査するレーザ光走査装置５０と、このレーザ光走査装置５０の下方に配置され、レーザ光走査装置５０で走査されたレーザ光により静電潜像が形成される現像装置１００とを有している。レーザ光走査装置５０は、各色の画像データに応じて変調したレーザ光を偏向走査して、現像装置１００の感光体ドラム１１０に照射する。
【００２２】
現像装置１００は、レーザ光走査装置５０からレーザ光の照射を受ける感光体ドラム１１０を有している。この感光体ドラム１１０は矢印Ａ方向に回転する。感光体ドラム１１０の周囲には、感光体ドラム１１０の表面を掃除するクリーニング装置１２０と、感光体ドラム１１０の表面を帯電する帯電器１３０と、感光体ドラム１１０の表面に形成された静電潜像を現像する現像器１４０とが、この順で矢印Ａ方向に沿って設けられている。
【００２３】
この現像装置１００によると、回転する感光体ドラム１１０が帯電器１３０により帯電され、その表面に、レーザ光走査装置５０からレーザ光が照射され、これによって各色の画像データに応じた静電潜像が形成される。次に、静電潜像が現像器１４０を通過することにより現像器１４０から感光体ドラム１１０の表面にトナーが供給され、その表面に、静電潜像のみにトナーが残ってトナー像が現像される。
【００２４】
次に、感光体ドラム１１０上のトナー像が、矢印Ｂ方向に循環回転している一次転写装置２００の転写ベルト２１０上に一次転写される。一次転写後、感光体ドラム１１０の表面には、トナーが残存する。その残存したトナーは、クリーニング装置１２０により感光体ドラム１１０の表面から掻き落とされる。
【００２５】
一次転写装置２００は、上記のように感光体ドラム１１０から転写ベルト２１０にトナー像を受けて一次転写のプロセスを担うものであり、各画像形成ユニット１０Ｃ，１０Ｍ，１０Ｙ，１０Ｋを通過することにより、転写ベルト２１０上には各色のトナー像が多重転写される。転写ベルト２１０は、駆動ロール２２０、従動ロール２３１，２３２、ステアリングロール２４０およびバックアップロール２５０に、テンションがかかった状態で巻回されている。転写ベルト２１０は、駆動ロール２２０によって所定の速度で矢印Ｂ方向に循環回転させられる。
【００２６】
転写ベルト２１０の内周側には、各画像形成ユニット１０Ｃ，１０Ｍ，１０Ｙ，１０Ｋの感光体ドラム１１０との間に転写ベルト２１０を挟み、感光体ドラム１１０と連れ回りする一次転写ロール２６０が、回転自在に設けられている。転写ベルト２１０を挟んで従動ロール２３２と対向する位置には、転写ベルト２１０の表面を掃除するベルトクリーナ２７０が設けられている。このベルトクリーナ２７０は、転写ベルト２１０の表面に残存したトナーを掻き落とす。
【００２７】
給紙装置３００は、用紙の大きさや用紙の紙質など、用紙の種類を分けるために複数設けられている。給紙装置３００は、多数の用紙Ｐが積載される給紙保管部３１０と、給紙保管部３１０から１枚の用紙Ｐを引き出す抽出ロール３２０と、用紙搬送装置４００に向けて間隔をおいて設けられている複数の搬送ロール対３３０とを備えている。給紙装置３００は、給紙保管部３１０から引き出した用紙Ｐを用紙搬送装置４００に向けて搬送する。
【００２８】
用紙搬送装置４００は、搬送される用紙Ｐを案内する用紙搬送路（案内手段）４１０と、二次転写装置５００に向けて間隔をおいて設けられている複数の搬送ロール対４３０と、規定のタイミングで二次転写装置５００に用紙を送り込むレジストロール対４４０とを備えている。用紙搬送装置４００は、給紙装置３００から二次転写装置５００にわたって用紙搬送路４１０を形成している。用紙搬送装置４００は、二次転写装置５００に用紙Ｐを搬送する。なお、この用紙搬送装置４００に用紙押し付け装置８００および紙粉除去装置９００を設けているが、用紙押し付け装置８００および紙粉除去装置９００については後述する。
【００２９】
二次転写装置５００は、バックアップロール２５０との間に転写ベルト２１０を挟み、バックアップロール２５０との間に転写圧を発生させながら連れ回りする二次転写ロール５１０を備えている。二次転写装置５００においては、給紙保管部３１０から用紙搬送路４１０を搬送された用紙Ｐが、転写ベルト２１０上のトナー像とタイミングを合わせて二次転写ロール５１０と転写ベルト２１０との間に挿入され、用紙Ｐの表面にトナー像が二次転写される。二次転写された用紙Ｐは、搬送ベルト５２０により定着装置６００に送られる。
【００３０】
定着装置６００は、上側の加熱ロール６１０と、下側の加圧ロール６２０とを備えている。定着装置６００は、加熱ロール６１０と加圧ロール６２０との間に用紙Ｐを加熱しながら強く挟んで搬送することにより、用紙Ｐの表面に二次転写像を定着させる。二次転写像を定着させた用紙Ｐは、矢印Ｃ方向に搬送され、装置外に排出される。一方、用紙Ｐの両面に画像を印刷する場合、二次転写像を定着させた用紙Ｐは、反転搬送装置７００に送られる。
【００３１】
反転搬送装置７００は、用紙Ｐを挟んで搬送する複数の搬送ロール対７１０を備えおり、定着装置６００から用紙搬送装置４００にわたって反転搬送路７２０を形成している。反転搬送装置７００は、反転搬送装置７００に送られてきた用紙Ｐの表裏を反転させて、表裏を反転した用紙Ｐを矢印Ｄ方向に搬送し、再び用紙搬送装置４００へ送り戻す。
【００３２】
（カラープリンタの動作）
次に、カラープリンタ１の動作について説明する。カラープリンタ１は、それぞれの感光体ドラム１１０の表面に形成されたＣ，Ｍ，Ｙ，Ｋの各色のトナー像を転写ベルト２１０に順次一次転写する。次いで、用紙搬送装置４００により給紙装置３００から搬送された用紙Ｐに、二次転写装置５００により転写ベルト２１０上の一次転写像を二次転写する。そして、用紙Ｐを定着装置６００に送り、用紙Ｐに二次転写像を定着させる。この二次転写像を定着させた用紙Ｐを矢印Ｃ方向に搬送し、装置外に排出する。
【００３３】
一方、用紙Ｐの両面に画像を印刷する場合、二次転写像を定着させた用紙Ｐを反転搬送装置７００に送り、用紙Ｐの表裏を反転して、再び用紙搬送装置４００へ送り戻す。そして、反転された用紙Ｐを定着装置６００に送り、用紙Ｐの裏面に二次転写像を定着させる。この二次転写像を定着させた用紙Ｐを矢印Ｃ方向に搬送し、用紙Ｐを装置外に排出する。
【００３４】
（用紙押し付け装置および紙粉除去装置の構成）
次に、用紙搬送装置４００に設けられている用紙押し付け装置８００および紙粉除去装置９００の構成について図面を参照して説明する。図２は、用紙押し付け装置周辺を拡大して示す概略図である。図３は、用紙押し付け装置を下方向から見た場合を示す概略図である。図４は、用紙押し付け装置を用紙搬送方向から見た場合を示す概略図である。
【００３５】
用紙搬送装置４００は、図１に示すように、給紙装置３００から定着装置６００に用紙Ｐを搬送する片面印刷走行経路の一部に設けられている。また、用紙搬送装置４００は、反転搬送装置７００から定着装置６００に用紙Ｐを搬送する両面印刷走行経路の一部に設けられている。つまり、用紙搬送装置４００は、用紙Ｐの片面に画像を印刷する場合の片面印刷走行経路と用紙Ｐの両面に画像を印刷する場合の両面印刷走行経路との共通部分である共通走行経路の一部に設けられている。なお、片面印刷走行経路において、用紙Ｐが搬送される搬送方向が用紙搬送方向（搬送方向）である。
【００３６】
用紙搬送装置４００は、搬送される用紙Ｐを案内する用紙搬送路４１０を備えている。用紙搬送路４１０は、図２に示すように、上側走行面４１１と、下側走行面４１２とを備えている。上側走行面４１１および下側走行面４１２は、樹脂または金属により形成されている板状の部材である。上側走行面４１１および下側走行面４１２は、搬送ロール対４３０、後述する押し付けロール８１１や後述する回転ブラシ９１０などを通す図示省略した開口部を設けている。この用紙搬送路４１０は、搬送ロール対４３０により矢印Ｅ方向に搬送される用紙Ｐを案内する。
【００３７】
用紙押し付け装置８００は、図２に示すように、用紙搬送路４１０に沿って設けられている。また、用紙押し付け装置８００は、共通走行経路に設けられている。さらに、用紙押し付け装置８００は、用紙搬送方向において定着装置６００より上流側に設けられている。用紙押し付け装置８００は、押し付け部材（押し付け手段）８１０と、押し付け機構（移動手段）８２０と、用紙検知センサ８３０とを備えている。用紙押し付け装置８００は、用紙Ｐの両端を用紙搬送路４１０に押し付ける。
【００３８】
押し付け部材８１０は、用紙搬送路４１０に対向する位置に設けられている。押し付け部材８１０は、押し付けロール８１１と、回転軸８１２と、軸受８１３とを備えている。押し付け部材８１０は、図２，図４に示すように、用紙Ｐの両端を用紙搬送路４１０の上側走行面４１１に押し付ける。押し付けロール８１１は、図３，図４に示すように、用紙Ｐの両端に対応する位置にそれぞれ設けられている。押し付けロール８１１は、ポリアセタールやステンレス鋼などの材料で形成されている。
【００３９】
回転軸８１２は、押し付けロール８１１の軸である。回転軸８１２は、押し付けロール８１１から外側に突出している。軸受８１３は、押し付けロール８１１から外側に突出している回転軸８１２に挿入されて設けられている。押し付け部材８１０は押し付け機構８２０により移動させられることで、押し付けロール８１１が用紙Ｐの両端を上側走行面４１１に押し付け、用紙Ｐが矢印Ｅ方向に搬送されるのに伴って、押し付けロール８１１が回転する。
【００４０】
押し付けロール８１１が用紙Ｐの両端を上側走行面４１１に押し付けることにより、用紙Ｐの上側走行面４１１側の両端が上側走行面４１１と擦れ、用紙Ｐのバリ（突起部）が取り除かれる。また、押し付けロール８１１が用紙Ｐの両端を上側走行面４１１に押し付けることにより、用紙Ｐの下側走行面４１２側の両端が押し付けロール８１１と接触し、用紙Ｐのバリが押し潰される。
【００４１】
押し付け機構８２０は、図２，図４に示すように、ばね８２１と、ソレノイド８２２と、このソレノイド８２２に固定されている伝達部材８２３とを備えている。押し付け機構８２０は、押し付け部材８１０を用紙搬送路４１０に向けて移動させる。ばね８２１は、軸受８１３の下方に設けられている。ばね８２１は、軸受８１３を用紙搬送路４１０に向けて押している。つまり、ばね８２１は、押し付け部材８１０を用紙搬送路４１０に向けて押している。
【００４２】
ソレノイド８２２は、制御部２０の制御により伝達部材８２３を矢印Ｆ方向または矢印Ｇ方向に移動させる。ソレノイド８２２が伝達部材８２３を矢印Ｆ方向に移動させると、ばね８２１の作用により押し付け部材８１０を上側走行面４１１に向けて移動させる。つまり、押し付け部材８１０の押し付けロール８１１が上側走行面４１１に接触する。一方、ソレノイド８２２が伝達部材８２３を矢印Ｇ方向に移動させると、ばね８２１に抗して押し付け部材８１０を上側走行面４１１がある方向とは反対方向に移動させる。つまり、押し付け部材８１０の押し付けロール８１１が上側走行面４１１から離れる。
【００４３】
なお、本実施形態では、ソレノイド８２２を備えているが、この実施形態に限られない。例えば、ソレノイド８２２に変えてカムを備えている実施形態としてもよい。
【００４４】
用紙検知センサ８３０は、図２に示すように、用紙搬送方向において押し付け部材８１０より下流側に設けられている。用紙検知センサ８３０は、搬送されている用紙Ｐを検知すると、制御部２０に信号を送信する。その送信された信号に基づいてソレノイド８２２の動作が制御される。つまり、用紙検知センサ８３０が用紙Ｐを検知しないと、ソレノイド８２２が伝達部材８２３を矢印Ｇ方向に移動させる。一方、用紙検知センサ８３０が用紙Ｐを検知すると、ソレノイド８２２が伝達部材８２３を矢印Ｆ方向に移動させる。
【００４５】
紙粉除去装置９００は、図２に示すように、用紙搬送路４１０に沿って設けられている。また、紙粉除去装置９００は、用紙搬送方向において用紙押し付け装置８００より下流側に設けられている。さらに、紙粉除去装置９００は、用紙搬送方向において二次転写装置５００の上流側に設けられている。つまり、紙粉除去装置９００は、図１に示すように、用紙搬送方向において用紙押し付け装置８００と二次転写装置５００との間に設けられている。
【００４６】
紙粉除去装置９００は、図２に示すように、回転ブラシ９１０と、紙粉回収装置９２０とを備えている。紙粉除去装置９００は、用紙Ｐの上側走行面４１１側の表面に付着した紙粉を除去する。回転ブラシ９１０は、図２，図３に示すように、回転自在な回転軸の周面に毛を配列したものである。回転ブラシ９１０は、図示省略した駆動装置により図２の矢印Ｈ方向に回転する。回転ブラシ９１０は、矢印Ｈ方向に回転することで、搬送される用紙Ｐの表面に付着している紙粉を用紙Ｐの表面から除去する。
【００４７】
紙粉回収装置９２０は、図２に示すように、回転ブラシ９１０の上方に設けられている。紙粉回収装置９２０は、ダクト９２１と、ブロワー９２２とを備えている。紙粉回収装置９２０は、回転ブラシ９１０により用紙Ｐの表面から除去された紙粉を回収する。ダクト９２１は、回転ブラシ９１０を覆うようにして設けられている。ブロワー９２２は、ダクト９２１内に設けられている。ブロワー９２２は、紙粉を矢印Ｉ方向に吸い上げる。紙粉回収装置９２０は、回転ブラシ９１０により用紙Ｐの表面から除去した紙粉をブロワー９２２によって矢印Ｉ方向に吸い上げ、紙粉を回収する。
【００４８】
（用紙押し付け装置および紙粉除去装置の動作）
次に、用紙押し付け装置８００および紙粉除去装置９００の動作について図面を参照して説明する。
【００４９】
給紙装置３００から搬送されてきた用紙Ｐが用紙搬送路４１０に沿って搬送されると、用紙検知センサ８３０が用紙Ｐを検知する。用紙検知センサ８３０が用紙Ｐを検知すると、制御部２０の制御によりソレノイド８２２が図２の矢印Ｆ方向に伝達部材８２３を移動させる。この伝達部材８２３が移動させられるのに伴って、ばね８２１の作用により押し付けロール８１１が上側走行面４１１に向けて移動し、用紙Ｐの両端を上側走行面４１１に押し付ける。このとき、図２，図３の矢印Ｅ方向の用紙Ｐの先端が搬送ロール対４３０に挟まれ、用紙Ｐが搬送される。
【００５０】
押し付けロール８１１が用紙Ｐの両端を上側走行面４１１に押し付けると、用紙Ｐの上側走行面４１１側の両端が上側走行面４１１と擦れ、用紙Ｐのバリが取り除かれる。また、押し付けロール８１１が用紙Ｐの両端を上側走行面４１１に押し付けると、用紙Ｐの下側走行面４１２側の両端が押し付けロール８１１と接触し、用紙Ｐのバリが押し潰される。このように、用紙Ｐのバリが除去される。そのため、用紙搬送経路において用紙押し付け装置８００より下流側にある定着装置６００の加熱ロール６１０や加圧ロール６２０の表面が、用紙Ｐのバリにより傷がつくことを防止する。このとき、用紙Ｐから取り除かれたバリが紙粉となる。
【００５１】
そして、用紙Ｐが用紙搬送路４１０に沿ってさらに搬送されると、回転ブラシ９１０が図２の矢印Ｈ方向に回転しているので、用紙Ｐの上側走行面４１１側の表面に付着した紙粉が、用紙Ｐの上側走行面４１１側の表面から除去される。つまり、一次転写像が二次転写される用紙Ｐの表面から紙粉が除去される。その除去された紙粉は、紙粉回収装置９２０により回収される。そのため、一次転写像が紙粉に二次転写されるのを防止することで、結果、画質欠損を防止する。
【００５２】
そして、用紙Ｐが用紙搬送路４１０に沿ってさらに搬送されると、用紙検知センサ８３０が用紙Ｐを検知しなくなる。用紙検知センサ８３０が用紙Ｐを検知しなくなると、制御部２０の制御によりソレノイド８２２が図２の矢印Ｇ方向に伝達部材８２３を移動させる。この伝達部材８２３が移動させられるのに伴って、押し付けロール８１１が上側走行面４１１から離れる。
【００５３】
一方、反転搬送装置７００から搬送されてきた用紙Ｐが用紙搬送路４１０に沿って搬送されると、用紙押し付け装置８００で用紙Ｐのバリを除去し、紙粉除去装置９００で用紙Ｐに付着している紙粉を除去する。そのため、用紙Ｐの片面だけを上側走行面４１１に押し付ける場合に比べて、用紙Ｐのバリをより除去し、用紙Ｐに付着している紙粉をより除去する。
【００５４】
（２）第２の実施形態
第２の実施形態は、上記第１の実施形態の用紙押し付け装置を変更したものである。したがって、主に用紙押し付け装置について説明する。図５は、第２の実施形態の用紙押し付け装置を下方向から見た場合を示す概略図である。図６は、第２の実施形態の用紙押し付け装置を用紙搬送方向から見た場合を示す概略図である。
【００５５】
用紙押し付け装置８０１は、用紙Ｐに対応する用紙押し付け装置である。用紙押し付け装置８０１は、図６に示すように、押し付け部材（押し付け手段）８４０と、押し付け機構（移動手段）８５０とを備えている。用紙押し付け装置８０１は、用紙Ｐの両端を用紙搬送路４１０に押し付ける。押し付け部材８４０は、ブロック８４１と、支持部材８４２とを備えている。ブロック８４１は、図５に示すように、用紙Ｐの両端に対応する位置にそれぞれ設けられている。押し付け部材８１０は、押し付け機構８２０により移動させられることで、ブロック８４１が用紙Ｐの両端を上側走行面４１１に押し付ける。
【００５６】
ブロック８４１が用紙Ｐの両端を上側走行面４１１に押し付けることにより、用紙Ｐの上側走行面４１１側の両端が上側走行面４１１と擦れ、用紙Ｐのバリが取り除かれる。また、ブロック８４１が用紙Ｐの両端を上側走行面４１１に押し付けることにより、用紙Ｐの下側走行面４１２側の両端がブロック８４１と擦れ、用紙Ｐのバリが取り除かれる。
【００５７】
押し付け機構８５０は、ばね８５１と、ソレノイド８５２と、このソレノイド８５２に固定されている伝達部材８５３とを備えている。押し付け機構８５０は、押し付け部材８４０を用紙搬送路４１０に向けて移動させる。ばね８５１は、伝達部材８５３の下方に設けられている。ばね８５１は、伝達部材８５３を用紙搬送路４１０に向けて押している。つまり、ばね８５１は、押し付け部材８４０を用紙搬送路４１０に向けて押している。ソレノイド８５２は、用紙搬送路４１０の下方に設けられている。
【００５８】
用紙押し付け装置８０２は、用紙の大きさが用紙Ｐより小さい用紙（記録媒体）Ｐ１に対応する用紙押し付け装置である。用紙押し付け装置８０２は、図６に示すように、押し付け部材（押し付け手段）８６０と、押し付け機構（移動手段）８７０とを備えている。用紙押し付け装置８０２は、用紙Ｐ１の両端を用紙搬送路４１０に押し付ける。押し付け部材８６０は、ブロック８６１と、支持部材８６２とを備えている。ブロック８６１は、図５に示すように、用紙Ｐ１の両端に対応する位置にそれぞれ設けられている。押し付け部材８６０は、押し付け機構８７０により移動させられることで、ブロック８６１が用紙Ｐ１の両端を上側走行面４１１に押し付ける。
【００５９】
ブロック８６１が用紙Ｐ１の両端を上側走行面４１１に押し付けることにより、用紙Ｐ１の上側走行面４１１側の両端が上側走行面４１１と擦れ、用紙Ｐ１のバリが取り除かれる。また、ブロック８６１が用紙Ｐ１の両端を上側走行面４１１に押し付けることにより、用紙Ｐ１の下側走行面４１２側の両端がブロック８６１と擦れ、用紙Ｐ１のバリが取り除かれる。
【００６０】
押し付け機構８７０は、ばね８７１と、ソレノイド８７２と、このソレノイド８７２に固定されている伝達部材８７３とを備えている。押し付け機構８７０は、押し付け部材８６０を用紙搬送路４１０に向けて移動させる。ばね８７１は、伝達部材８７３の下方に設けられている。ばね８７１は、伝達部材８７３を用紙搬送路４１０に向けて押している。つまり、ばね８７１は、押し付け部材８４０を用紙搬送路４１０に向けて押している。ソレノイド８７２は、用紙搬送路４１０の下方に設けられている。
【００６１】
第２の実施形態では、使用される用紙の大きさの選択に基づいて制御部２０により、用紙押し付け装置８０１または用紙押し付け装置８０２のどちらが稼動するのかが決定される。用紙Ｐが選択された場合には、制御部２０の決定により用紙押し付け装置８０１が稼動する。一方、用紙Ｐ１が選択された場合には、制御部２０の決定により用紙押し付け装置８０２が稼動する。
【００６２】
そして、用紙Ｐまたは用紙Ｐ１が用紙搬送路４１０に沿って搬送されると、用紙押し付け装置８０１または用紙押し付け装置８０２で用紙Ｐまたは用紙Ｐ１のバリを除去し、紙粉除去装置９００で用紙Ｐまたは用紙Ｐ１に付着している紙粉を除去する。
【００６３】
（３）第３の実施形態
第３の実施形態は、上記第２の実施形態の用紙押し付け装置の位置を変更したものである。したがって、主に用紙押し付け装置の位置について説明する。図７は、第３の実施形態の用紙押し付け装置を用紙搬送方向から見た場合を示す概略図である。
【００６４】
用紙押し付け装置８０３は、用紙Ｐに対応する用紙押し付け装置である。用紙押し付け装置８０４は、用紙の大きさが用紙Ｐより小さい用紙Ｐ１に対応する用紙押し付け装置である。用紙押し付け装置８０３は、用紙搬送路４１０の下方に設けられている。そのため、用紙押し付け装置８０３は、用紙Ｐの両端を上側走行面４１１に押し付ける。用紙押し付け装置８０４は、用紙搬送路４１０の上方に設けられている。そのため、用紙押し付け装置８０４は、用紙Ｐ１の両端を下側走行面４１２に押し付ける。
【００６５】
第３の実施形態では、用紙押し付け装置８０４が用紙Ｐ１の両端を下側走行面４１２に押し付けることにより、用紙Ｐ１の上側走行面４１１側の両端が用紙押し付け装置８０４と擦れ、用紙Ｐ１のバリが取り除かれる。また、用紙押し付け装置８０４が用紙Ｐ１の両端を下側走行面４１２に押し付けることにより、用紙Ｐ１の下側走行面４１２側の両端が下側走行面４１２と擦れ、用紙Ｐ１のバリが取り除かれる。
【産業上の利用可能性】
【００６６】
本発明は、用紙を搬送する搬送装置やカラープリンタ、ＦＡＸ、カラー複写機、これらの機能を備えた装置などの画像形成装置に利用することができる。
【図面の簡単な説明】
【００６７】
【図１】本発明の一実施形態に係るカラープリンタの概略図である。
【図２】用紙押し付け装置周辺を拡大して示す概略図である。
【図３】用紙押し付け装置を下方向から見た場合を示す概略図である。
【図４】用紙押し付け装置を用紙搬送方向から見た場合を示す概略図である。
【図５】第２の実施形態の用紙押し付け装置を下方向から見た場合を示す概略図である。
【図６】第２の実施形態の用紙押し付け装置を用紙搬送方向から見た場合を示す概略図である。
【図７】第３の実施形態の用紙押し付け装置を用紙搬送方向から見た場合を示す概略図である。
【符号の説明】
【００６８】
１…カラープリンタ、４００…用紙搬送装置、４１０…用紙搬送路、８１０…押し付け部材、８２０…押し付け機構、９００…紙粉除去装置、Ｐ…用紙。
【図１】
2009113948.tif 000003
【図２】
2009113948.tif 000004
【図３】
2009113948.tif 000005
【図４】
2009113948.tif 000006
【図５】
2009113948.tif 000007
【図６】
2009113948.tif 000008
【図７】
2009113948.tif 000009